(57)【要約】      （修正有）【課題】神社・仏閣等を訪れる参拝者が、持ち帰ったおみくじを個人宅等にて、紛失することなく、且つ綺麗に保管し何時でもおみくじの内容に目を通す事が出来るおみくじスタンドを提供する。【解決手段】柱状体からなるおみくじスタンド本体とコの字型金具とから成るおみくじスタンドであって、コの字型金具はおみくじスタンド本体の正面又は上面に着脱自在に取り付けられる。また、おみくじスタンド本体は空洞が設けられることを特徴とする。【選択図】図６
0003186563.tif 000002
【実用新案登録請求の範囲】
【請求項１】
専用台本体におみくじを結んだ状態で保管することを特徴とする、おみくじスタンド。
【請求項２】
結んだ、おみくじを殆ど型崩れなく、横に並べて保管することを特徴とする本体押さえ。
【考案の詳細な説明】
【技術分野】
【０００１】
この考案は、おみくじを格納する容器の形状に関する。
【背景技術】
【０００２】
神社・仏閣等を訪れる参拝者が、持ち帰ったおみくじを個人宅等にて、紛失することなく、且つ綺麗に保管し何時でもおみくじの内容に目を通す事が出来る台を提供するものである。
【先行技術文献】
【特許文献】
【０００３】
【特許文献１】実開平６−８５８７３号  公開実用新案公報
【考案の概要】
【考案が解決しようとする課題】
【０００４】
しかしながら、以上の技術によれば、あくまで神社・仏閣等で主に屋外での使用であるが、個人がおみくじを持ち帰った場合は、財布の中や室内のわかる場所に小さく折った状態で保管されていると思います。
そこで、この考案は、専用の台でおみくじを格納する場所を提供する事とおみくじが結ばれた状態で保管する事を課題とする。
【課題を解決するための手段】
【０００５】
以上の課題を解決するために、第一考案は、ある程度の高さがある台にコの字型の金具を取り付けることで神社・仏閣等でおみくじ掛けに結んだ様な状態で、おみくじを保管する事を特徴とする、おみくじスタンドである。
また、第二考案は、コの字型の金具に結んだおみくじの左右を少しコンパクトに格納する為、後ろから台と同素材等のコの字型部品又は押さえを設け、見た目も綺麗に保管する事を特徴とする台である。
【考案の効果】
【０００６】
第一考案、または第二考案によれば、持ち帰ったおみくじを紛失や汚すことなく見た目も綺麗に保管が出来ます。   
【図面の簡単な説明】
【０００７】
【図１】この考案の一実施形態を示す斜視図である。
【図２】スタンド本体の形態を示す平面図である。
【図３】部品の一部であるコの字金具を示す平面図である。
【図４】部品の一部であるコの字押さえを示す平面図である。
【図５】実際におみくじの取り付けを示す平面図である。
【図６】実際の保管方法を示す斜視図である。
【考案を実施するための形態】
【０００８】
この考案の一実施形態を、図１に示す。
おみくじスタンドの本体１はアクリルなどの樹脂製や木製・ガラス製等であり、この本体１の正面には、コの字型の金具２を取り付ける穴が２箇所設けられている。
予め、コの字型の金具２におみくじを結び、本体に差し込む。
おみくじの左右の本体から出ている部分を巻き込む様に折る。
後ろ側から折り込んだおみくじの両端を挟む様にコの字型の部品３で押える。
尚、本体の下側中央等にねじ穴等を設け、市販のプラスチック・ディスプレイケースなどの中に入れ、（ディスプレイケースの底等に穴あけをして置く。）おみくじスタンド本体を固定し保管出来るようにする。（スタンド本体固定用ねじ４）   
【０００９】
「実施形態の効果」
この実施形態によれば、立方体の本体１とコの字の部品２を、使うことにより、ケース等に格納する時も、省スペースになり、又、結んだ、おみくじが重なること無く横にも並べて保管する事が出来ます。
一旦、おみくじスタンドに固定し、結んだ、おみくじの型崩れは殆どないと思われます。
「他の実施形態」
図１の実施形態では、本体１は立方体で後ろから押える部品はコの字型３であるが、他の実施形態では、本体１及び上記コの字型の部品３を円形や他の形状にしたものでも良い。又、スタンド本体１の内部下３分の２程度を空洞にした物を作成し、中にお札・お守り・天然石などの小物を格納するスペースを確保するのも良い。
その場合、本体底部が分割し底部をはめ込むタイプも考えられる。
【符号の説明】
【００１０】
１  おみくじスタンド本体            ２  コの字型金具
３  コの字型本体押さえ              ４  スタンド本体固定用ねじ
【図１】
0003186563.tif 000003
【図２】
0003186563.tif 000004
【図３】
0003186563.tif 000005
【図４】
0003186563.tif 000006
【図５】
0003186563.tif 000007
【図６】
0003186563.tif 000008
【手続補正書】
【提出日】平成25年8月8日(2013.8.8)
【手続補正１】
【補正対象書類名】実用新案登録請求の範囲
【補正対象項目名】全文
【補正方法】変更
【補正の内容】
【実用新案登録請求の範囲】
【請求項１】
柱状体からなるおみくじスタンド本体とコの字型金具とから成るおみくじスタンドであって、前記コの字型金具は前記おみくじスタンド本体の正面又は上面に着脱自在に取り付けられてなるおみくじスタンド。
【請求項２】
前記おみくじスタンド本体は空洞が設けられてなる請求項１に記載のおみくじスタンド。
【手続補正２】
【補正対象書類名】明細書
【補正対象項目名】全文
【補正方法】変更
【補正の内容】
【考案の詳細な説明】
【技術分野】
【０００１】
この考案は、おみくじを格納する容器の形状に関する。
【背景技術】
【０００２】
神社・仏閣等を訪れる参拝者が、持ち帰ったおみくじを個人宅等にて、紛失することなく、且つ綺麗に保管し何時でもおみくじの内容に目を通す事が出来る台を提供するものである。
【先行技術文献】
【特許文献】
【０００３】
【特許文献１】実開平６−８５８７３号  公開実用新案公報
【考案の概要】
【考案が解決しようとする課題】
【０００４】
しかしながら、以上の技術によれば、あくまで神社・仏閣等で主に屋外での使用であるが、個人がおみくじを持ち帰った場合は、財布の中や室内のわかる場所に小さく折った状態で保管されていると思います。
そこで、この考案は、専用の台でおみくじを格納する場所を提供する事とおみくじが結ばれた状態で保管する事を課題とする。
【課題を解決するための手段】
【０００５】
以上の課題を解決するために、請求項１に記載の考案は、柱状体からなるおみくじスタンド本体とコの字型金具とから成るおみくじスタンドであって、前記コの字型金具は前記おみくじスタンド本体の正面又は上面に着脱自在に取り付けられてなる、おみくじスタンドである。また、請求項２に記載の考案は、前記おみくじスタンド本体は空洞が設けられてなる請求項１に記載のおみくじスタンドである。
尚、本考案の柱状体とは、断面が多角形や矩形や円形を有する柱状の部材であっても良いし、立方体であっても良いし、多角形や矩形や円形を有する板状の部材であっても良い。
【考案の効果】
【０００６】
本考案によれば、持ち帰ったおみくじを紛失や汚すことなく、見た目も綺麗に保管が出来ます。
【図面の簡単な説明】
【０００７】
【図１】本考案の一実施形態を示す斜視図である。
【図２】おみくじスタンド本体の形態を示す正面図、上面図、底面図である。
【図３】コの字型金具を示す正面図及び上面図並びにスタンド本体固定用ねじを示す正面図である。
【図４】コの字型おみくじ押さえを示す正面図及び平面図である。
【図５】おみくじの取り付け状態を示す正面図である。
【図６】おみくじスタンドをディスプレイケースに格納した状態を示す斜視図である。
【図７】おみくじスタンドの本体に木製の枡を使用した状態を示す斜視図である。
【図８】おみくじスタンドの本体に木製の枡を使用した状態を示す正面図である。
【考案を実施するための形態】
【０００８】
本考案の一実施形態を、図１に示す。おみくじスタンド本体１はアクリルなどの樹脂製や木製やガラス製等であり、正四角柱状をなしている。前記おみくじスタンド本体１の正面上部にコの字型金具２を取り付ける穴５が２か所設けられている。尚、おみくじスタンド本体１には「おみくじ」と焼印あるいは印刷等されていて、上面には「開運」と焼印あるいは印刷等されている。
前記コの字型金具２は図３に示すように直径３ｍｍのステンレス製丸棒をコの字型に曲げて作られている。
次に、前記おみくじスタンド本体１とコの字型金具２よりおみくじを格納する方法を説明する。予めコの字型金具２におみくじ６を結ぶ。そしておみくじ６が結ばれたコの字型金具２の両端部を前記穴５に差し込むことにより図５の左側の図のような取り付け状態となる。
【０００９】
尚、おみくじ６をこじんまりと格納したい場合は、おみくじスタンド本体１からはみ出ているおみくじ６の両端をおみくじスタンド本体１に巻き込むように折り、折り込んだおみくじ６の両端を挟むようにおみくじスタンド本体１の後ろ側からコの字型おみくじ押さえ３を装着し、図１の右側の図のように格納することが出来る。
さらに、おみくじ６の保管中に埃や汚れを防ぐために図６に示すようにディスプレイケース１１等に収納することが出来る。この場合はディスプレイケース１１を市販の物で利用することが出来るが図６に示すようにカバー７と台８で構成されているのが好ましい。
尚、ディスプレイケース１１等におみくじスタンド９を固定するために図２の底面図に示すようにおみくじスタンド本体１の底面にねじ穴１０を設け、台８に図示しない穴を設け図３に示すスタンド本体固定ねじ４をねじ込み固定することが出来る。
また、上記実施形態ではおみくじスタンド本体１は、正四角柱状としたが、立方体であっても良いし、長方形の柱状であっても良い。
【００１０】
この実施形態によれば、立方体のおみくじスタンド本体１とコの字型金具２を、使うことにより、ディスプレイケース１１等に格納する時も、省スペースになり、又、結んだ、おみくじが重なること無く横にも並べて保管する事が出来ます。
一旦、おみくじスタンド９に固定し、結んだ、おみくじ６の型崩れは殆どないと思われます。
【００１１】
図１の実施形態では、おみくじスタンド本体１は立方体で後ろから押える部品はコの字型本体押さえ３であるが、他の実施形態では、おみくじスタンド本体１及び上記コの字型本体押さえ３を円形や他の形状にしたものでも良い。又、おみくじスタンド本体１の内部を空洞にした物を作成し、中にお札・お守り・天然石などの小物を格納するスペースを確保するのも良い。その場合、本体底部が分割し底部をはめ込むタイプも考えられる。
又、図７の様に枡の開口部を正面にして、中の空洞部分にお守りやパワーストーンなどの小物が収納できるようにする事もできる。
尚、開口部は正面に限らず、側面でも裏面でも良い。
又、開口部に扉を設けても良い。
【００１２】
図７、図８は木製の枡を使用した場合である。この場合は、上面に２か所のコの字型金具取付穴が設けられている。そこに、コの字金具を差し込み、使用する。よって、コの字金具の取付位置は図１の正面に取り付けるだけではなく、おみくじスタンド本体１の形状によって正面、側面、裏面、上面と異なる。
図７の状態では、裏面には「開運おみくじ」と焼印又は、印刷されている。
図８のおみくじスタンド本体裏面奥の底部には、「福」と焼印又は、印刷されている。
【符号の説明】
【００１３】
１  おみくじスタンド本体            ２  コの字型金具
３  コの字型本体押さえ              ４  スタンド本体固定ねじ
５  穴                              ６  おみくじ
７  カバー                          ８  台
９  おみくじスタンド              １０  ねじ穴
１１  ディスプレイケース
【手続補正３】
【補正対象書類名】図面
【補正対象項目名】全図
【補正方法】変更
【補正の内容】
【図１】
0003186563.tif 000009
【図２】
0003186563.tif 000010
【図３】
0003186563.tif 000011
【図４】
0003186563.tif 000012
【図５】
0003186563.tif 000013
【図６】
0003186563.tif 000014
【図７】
0003186563.tif 000015
【図８】
0003186563.tif 000016